(57)【要約】【課題】多灯撮影においてモニタ発光によって得られる光量にノイズが与える影響を小さくすることができるカメラを提供する。【解決手段】本発明は、第１予備発光及び該第１予備発光よりも光量が大きい第２予備発光を行うリモート照明装置４０と、トリガ光を発光し、リモート照明装置と通信するマスタ照明装置１０２と、によって多灯撮影を行うカメラ１０１の発光制御装置であって、カメラ１０１による撮影に関して設定された撮像設定条件に基づいて、第１予備発光の反射光を含む第１反射光、第２予備発光の反射光を含む第２反射光のいずれかを選択する反射光選択部１０と、反射光選択部によって選択された第１反射光または第２反射光を基準にして、カメラが撮影を行う際にリモート照明装置によって発光される照明光の光量を調整する照明光調整部１５と、を備えることを特徴とする発光制御装置である。【選択図】図５
2014232225.tif 000002
【特許請求の範囲】
【請求項１】
第１予備発光及び該第１予備発光よりも光量が大きい第２予備発光を行うリモート照明装置と、トリガ光を発光し、前記リモート照明装置と通信するマスタ照明装置と、によって多灯撮影を行うカメラの発光制御装置であって、
前記カメラによる撮影に関して設定された撮像設定条件に基づいて、前記第１予備発光の反射光を含む第１反射光、前記第２予備発光の反射光を含む第２反射光のいずれかを選択する反射光選択部と、
前記反射光選択部によって選択された前記第１反射光または前記第２反射光を基準にして、前記カメラが撮影を行う際に前記リモート照明装置によって発光される照明光の光量を調整する照明光調整部と、
を備えることを特徴とする発光制御装置。
【請求項２】
請求項１に記載の発光制御装置であって、
前記撮像設定条件には、
前記マスタ照明装置の最大発光量、前記マスタ照明装置の撮影時の発光の有無、前記マスタ照明装置のバウンス状態、前記カメラから被写体までの距離の少なくとも１つが含まれることを特徴とする発光制御装置。
【請求項３】
請求項１または２に記載の発光制御装置であって、
前記反射光選択部は、
前記カメラによる撮影に関して設定された撮像設定条件に基づいて、前記第２反射光が選択される可能性を高めることを特徴とする発光制御装置。
【請求項４】
請求項２または３に記載の発光制御装置であって、
前記反射光選択部は、
前記マスタ照明装置の最大発光量が予め設定されている所定の値よりも大きい場合、前記第１反射光の光量によらず、前記第２反射光を選択することを特徴とする発光制御装置。
【請求項５】
請求項２または３に記載の発光制御装置であって、
前記反射光選択部は、
前記マスタ照明装置が撮影時に本発光しない場合、前記第１反射光の光量によらず、前記第２反射光を選択することを特徴とする発光制御装置。
【請求項６】
請求項２または３に記載の発光制御装置であって、
前記反射光選択部は、
前記第１予備発光または前記第２予備発光された光の光軸が仰角を持つように前記マスタ照明装置がバウンスされていない場合、前記第１反射光の光量によらず、前記第２反射光を選択することを特徴とする発光制御装置。
【請求項７】
請求項２または３に記載の発光制御装置であって、
前記カメラから被写体までの距離を推定する距離推定部をさらに備え、
前記反射光選択部は、
前記距離推定部によって推定された前記被写体までの距離が予め設定されている所定の距離以下である場合、前記第１反射光の光量によらず、前記第２反射光を選択することを特徴とする発光制御装置。
【請求項８】
予備発光を行うリモート照明装置と、トリガ光を発光し、前記リモート照明装置と通信するマスタ照明装置と、によって多灯撮影を行うカメラの発光制御装置であって、
前記予備発光の反射光を含む光の光量を、前記カメラによる撮影に関して設定された撮像設定条件に基づいて補正する予備発光補正部と、
前記予備発光補正部によって補正された前記光の光量を基準にして、前記カメラが撮影を行う際に前記リモート照明装置によって発光される照明光の光量を調整する照明光調整部と、
を備えることを特徴とする発光制御装置。
【請求項９】
第１予備発光及び該第１予備発光よりも光量が大きい第２予備発光を行うリモート照明装置と、トリガ光を発光し、前記リモート照明装置と通信するマスタ照明装置と、によって多灯撮影を行うカメラにおいて実行される発光制御プログラムであって、
コンピュータに、
前記カメラの撮影に関して設定された撮像設定条件に基づいて、前記第１予備発光の反射光を含む第１反射光、前記第２予備発光の反射光を含む第２反射光のいずれかを選択する予備発光選択機能と、
前記予備発光選択機能によって選択された前記第１反射光または前記第２反射光を基準にして、前記カメラが撮影を行う際に前記リモート照明装置によって発光される照明光の光量を調整する照明光調整機能と、
を実現させることを特徴とする発光制御プログラム。
【発明の詳細な説明】
【技術分野】
【０００１】
本発明は、発光制御装置、発光制御プログラムに関するものである。
【背景技術】
【０００２】
現在、被写体の撮影に複数の照明装置を使う技術がある。このような撮影の手法は、多灯ライティング等とも呼ばれており、本明細書では、以降、「多灯撮影」と記すものとする。近年では、コンパクトカメラに外部照明装置を装着するホットシューも提供されており、コンパクトカメラを使って多灯撮影を行うことも行われている。多灯撮影では、撮影に先立って照明装置の撮影時の光量（以下、「照明光量」と記す）が調整される。
【０００３】
多灯撮影に使用される照明装置には、カメラの本体に取り付けられるマスタ照明装置と、マスタ照明装置と通信するリモート照明装置とがある。特許文献１に記載された照明光量の調整では、マスタ照明装置あるいはリモート照明装置を予備発光（以下、「モニタ発光」と記す）させる。そして、モニタ発光の反射光量をカメラのＣＣＤを使って測光し、測光された光量に基づいてマスタ照明装置あるいはリモート照明装置の撮影時の発光（以下、「本発光と記す」）の光量を決定している。
【先行技術文献】
【特許文献】
【０００４】
【特許文献１】特開２０１１−１２８６４４号公報
【発明の概要】
【発明が解決しようとする課題】
【０００５】
しかし、上記した特許文献１に記載の発明では、モニタ照明装置、リモート照明装置、被写体の位置関係等により、モニタ発光の反射光量のノイズ成分が大きくなり、本発光の適正な光量が決定できなくなる可能性がある。
本発明の課題は、照明光を用いた好適な撮影制御が可能な発光制御装置、発光制御プログラムを提供することである。
【課題を解決するための手段】
【０００６】
本発明は、以下のような解決手段により前記課題を解決する。
請求項１に記載の発明は、第１予備発光及び該第１予備発光よりも光量が大きい第２予備発光を行うリモート照明装置と、トリガ光を発光し、前記リモート照明装置と通信するマスタ照明装置と、によって多灯撮影を行うカメラの発光制御装置であって、前記カメラによる撮影に関して設定された撮像設定条件に基づいて、前記第１予備発光の反射光を含む第１反射光、前記第２予備発光の反射光を含む第２反射光のいずれかを選択する反射光選択部と、前記反射光選択部によって選択された前記第１反射光または前記第２反射光を基準にして、前記カメラが撮影を行う際に前記リモート照明装置によって発光される照明光の光量を調整する照明光調整部と、を備えることを特徴とする発光制御装置である。
請求項２に記載の発明は、請求項１に記載の発光制御装置であって、前記撮像設定条件には、前記マスタ照明装置の最大発光量、前記マスタ照明装置の撮影時の発光の有無、前記マスタ照明装置のバウンス状態、前記カメラから被写体までの距離の少なくとも１つが含まれることを特徴とする発光制御装置である。
請求項３に記載の発明は、請求項１または２に記載の発光制御装置であって、前記反射光選択部が、前記カメラによる撮影に関して設定された撮像設定条件に基づいて、前記第２反射光が選択される可能性を高めることを特徴とする発光制御装置である。
請求項４に記載の発明は、請求項２または３に記載の発光制御装置であって、前記反射光選択部が、前記マスタ照明装置の最大発光量が予め設定されている所定の値よりも大きい場合、前記第１反射光の光量によらず、前記第２反射光を選択することを特徴とする発光制御装置である。
請求項５に記載の発明は、請求項２または３に記載の発光制御装置であって、前記反射光選択部が、前記マスタ照明装置が撮影時に本発光しない場合、前記第１反射光の光量によらず、前記第２反射光を選択することを特徴とする発光制御装置である。
請求項６に記載の発明は、請求項２または３に記載の発光制御装置であって、前記反射光選択部が、前記第１予備発光または前記第２予備発光された光の光軸が仰角を持つように前記マスタ照明装置がバウンスされていない場合、前記第１反射光の光量によらず、前記第２反射光を選択することを特徴とする発光制御装置である。
請求項７に記載の発明は、請求項２または３に記載の発光制御装置であって、前記カメラから被写体までの距離を推定する距離推定部をさらに備え、前記反射光選択部が、前記距離推定部によって推定された前記被写体までの距離が予め設定されている所定の距離以下である場合、前記第１反射光の光量によらず、前記第２反射光を選択することを特徴とする発光制御装置である。
請求項８に記載の発明は、予備発光を行うリモート照明装置と、トリガ光を発光し、前記リモート照明装置と通信するマスタ照明装置と、によって多灯撮影を行うカメラの発光制御装置であって、前記予備発光の反射光を含む光の光量を、前記カメラによる撮影に関して設定された撮像設定条件に基づいて補正する予備発光補正部と、前記予備発光補正部によって補正された前記光の光量を基準にして、前記カメラが撮影を行う際に前記リモート照明装置によって発光される照明光の光量を調整する照明光調整部と、を備えることを特徴とする発光制御装置である。
請求項９に記載の発明は、第１予備発光及び該第１予備発光よりも光量が大きい第２予備発光を行うリモート照明装置と、トリガ光を発光し、前記リモート照明装置と通信するマスタ照明装置と、によって多灯撮影を行うカメラにおいて実行される発光制御プログラムであって、コンピュータに、前記カメラの撮影に関して設定された撮像設定条件に基づいて、前記第１予備発光の反射光を含む第１反射光、前記第２予備発光の反射光を含む第２反射光のいずれかを選択する予備発光選択機能と、前記予備発光選択機能によって選択された前記第１反射光または前記第２反射光を基準にして、前記カメラが撮影を行う際に前記リモート照明装置によって発光される照明光の光量を調整する照明光調整機能と、を実現させることを特徴とする発光制御プログラムである。
なお、符号を付して説明した構成は、適宜改良してもよく、また、少なくとも一部を他の構成物に代替してもよい。
【発明の効果】
【０００７】
本発明によれば、照明光を用いた好適な撮影制御が可能な発光制御装置、発光制御プログラムを提供することができる。
【図面の簡単な説明】
【０００８】
【図１】本発明の実施形態１ないし４の発光制御装置が適用される多灯撮影のシステムを説明するための図である。
【図２】図１に示したモニタ光とトリガパルスとを例示した図である。
【図３】図１に示したカメラ本体で測光される光のノイズについて説明した図である。
【図４】本発明の実施形態１ないし４の発光制御装置が適用されるカメラの外観を説明するための斜視図である。
【図５】本発明の実施形態１ないし４の発光制御装置を含むカメラ本体を説明するためのブロック図である。
【図６】本発明の実施形態１の発光制御プログラムを説明するためのフローチャートである。
【図７】本発明の実施形態２の発光制御プログラムを説明するためのフローチャートである。
【図８】図４に示したマスタ照明装置のバウンス状態を説明するための図である。
【図９】本発明の実施形態３の発光制御プログラムを説明するためのフローチャートである。
【図１０】本発明の実施形態４の発光制御プログラムを説明するためのフローチャートである。
【図１１】本発明の変形形態の発光制御プログラムを説明するためのフローチャートである。
【発明を実施するための形態】
【０００９】
本実施形態の発光制御装置の詳細な説明に先立って、発光制御装置が適用される多灯撮影システムと、多灯撮影システムにおいてモニタ光に生じるノイズについて説明する。
［多灯撮影システム］
図１は、本実施形態の発光制御装置が適用される多灯撮影のシステムを説明するための図である。本実施形態では、マスタ照明装置がリモート照明装置に対してワイヤレスでモニタ発光を指示し、リモート照明装置のみがモニタ発光を行う多灯撮影のシステムを例にしている。このような多灯撮影は、被写体周囲の光量が逆光等によって不足している場合ばかりでなく、写真にイメージ通りの陰影を与えたり、被写体の質感を変えたりする場合にも使用される。
【００１０】
図１に示したように、多灯撮影のシステムは、マスタ照明装置１０２と、リモート照明装置４０と、カメラ本体１０１と、を含んでいる。マスタ照明装置１０２は、カメラ本体１０１に取り付けられていて、カメラ本体１０１によって制御されている。マスタ照明装置１０２は、カメラ本体１０１の指示によってリモート照明装置４０にトリガパルスＰを送信することができる。
多灯撮影では、撮影において、マスタ照明装置１０２、リモート照明装置４０のいずれか、またはその両方が本発光する。本発光された照明光は、被写体Ｓに照射され、被写体Ｓの陰影を調整する。本実施形態は、このような本発光に先立って行われるモニタ発光に適用されるものである。
【００１１】
モニタ発光では、カメラ本体１０１との距離が近い被写体（例えば約０．６ｍよりも近距離の範囲にある被写体）Ｓと遠い被写体（例えば約０．６ｍ以上の範囲にある被写体）Ｓとで適正な光量が異なる。つまり、モニタ発光において、比較的近距離の被写体Ｓに対して強いモニタ光Ｍを照射すると、反射光Ｒが強すぎてカメラ本体１０１が反射光量を正確に測定できない可能性がある。また、比較的遠距離の被写体Ｓに対して弱いモニタ光Ｍを照射すると、モニタ光Ｍが被写体Ｓに届かず、カメラ本体１０１が反射光Ｒの光量を正確に測定できない可能性がある。
【００１２】
以上のことから、本実施形態では、光量が異なる２回のモニタ発光を行っている。２回のモニタ発光のうち、光量が相対的に小さいものを「小発光」、光量が相対的に大きいものを「大発光」と記すものとする。カメラ本体１０１は、マスタ照明装置１０２を介して、リモート照明装置４０に対して小発光、大発光のいずれのモニタ発光を行うかを指示する。マスタ照明装置１０２とリモート照明装置４０とがワイヤレスで通信する場合、この指示は、小発光よりもさらに光量の小さいトリガパルスＰによって行われる。
【００１３】
この際、カメラ本体１０１は、先ず、リモート照明装置４０に対してマスタ照明装置１０２から小発光を指示するトリガパルスＰを送信する。リモート照明装置４０は、トリガパルスＰを受信し、小発光のモニタ光Ｍを発光する。モニタ光Ｍは、被写体Ｓによって反射され、反射光Ｒを含む光がカメラ本体１０１によって測光される。本実施形態は、測光された反射光Ｒから被写体に照射されたモニタ光Ｍを間接的に測光するものである。
【００１４】
次に、カメラ本体１０１は、測光された光量が予め設定されている値に満たない場合、リモート照明装置４０に対してマスタ照明装置１０２から大発光を指示するトリガパルスＰを送信する。リモート照明装置４０は、トリガパルスＰを受信し、大発光のモニタ光Ｍを発光する。モニタ光ＭとトリガパルスＰとを、図２に例示する。
【００１５】
次に、上記した構成において発生する、カメラ本体１０１によって測光された光のノイズについて、図３（ａ）、（ｂ）、（ｃ）を使って説明する。なお、このノイズは、カメラ本体１０１がモニタ光Ｍの測光に、ＣＭＯＳセンサを用いた場合に発生するものである。
【００１６】
図３（ａ）は、トリガパルスＰと、トリガパルスＰに基づいてリモート照明装置４０が発光したモニタ光Ｍとを示した図である。図３（ｂ）、（ｃ）は、ＣＭＯＳセンサを構成するフォトダイオードが電荷の蓄積を開始するタイミングを示した模式的なタイミングチャートであって、図３（ｂ）は、トリガパルスＰの発光が完了した後にＣＭＯＳセンサのフォトダイオードに電荷蓄積を開始させた場合を示している。また、図３（ｃ）は、トリガパルスＰの発光が完了する前にＣＭＯＳセンサのフォトダイオードに電荷蓄積を開始させた場合を示している。
【００１７】
図３（ａ）、（ｂ）、（ｃ）のいずれにおいても横軸は時間ｔを示している。図３（ａ）の縦軸はトリガパルスＰ、あるいはモニタ光Ｍの光量である。図３（ｂ）、（ｃ）の縦軸は、ＣＭＯＳセンサに含まれるフォトダイオードのうちの電荷蓄積を開始したフォトダイオードの割合（０〜１）を示している。
【００１８】
図３（ａ）に示したように、カメラ本体１０１からは、大発光、あるいは小発光を指示するトリガパルスＰがリモート照明装置４０に送信される。リモート照明装置４０は、トリガパルスＰを受信し、トリガパルスＰの指示を解釈してモニタ発光を行う。現状の多灯撮影では、トリガパルスＰの発光完了からモニタ発光までの時間ｔ１は、約２ｍｓである。
【００１９】
一方、ＣＭＯＳセンサは、ラインに沿って配列された複数のフォトダイオードを備えている。ＣＭＯＳセンサのフォトダイオードは、ラインごとに異なるタイミングで順次電荷蓄積を開始する。このため、図３（ｂ）に示したように、電荷蓄積を開始したフォトダイオードの数は、時間の経過に伴って増加していく。現状のカメラに使用されるＣＭＯＳセンサの多くは、ＣＭＯＳセンサに含まれるフォトダイオードが電荷蓄積を開始してから全てのフォトダイオードが電荷蓄積を開始するまでの時間ｔ２が２ｍｓ以上となっている。
【００２０】
このため、図３（ｂ）に示したように、トリガパルスＰの発光が完了してからＣＭＯＳセンサが電荷蓄積を開始すると、全てのフォトダイオードが電荷を蓄積可能になる前にモニタ光Ｍが発光される。このような場合、時間ｔ３の間に発光したモニタ光Ｍによって生じた電荷の一部は、ＣＭＯＳセンサに蓄積されない（以下、「けられる」とも記す）ことになる。モニタ光Ｍによって生じた電荷の一部がＣＭＯＳセンサにけられると、カメラ本体１０１は、モニタ光Ｍの光量を実際よりも小さい値として検出する。
【００２１】
上記した点は、図３（ｃ）に示したように、ＣＭＯＳセンサのフォトダイオードの電荷蓄積開始を例えば時間ｔ４遅らせることによって回避することができる。しかし、このようにした場合、トリガパルスＰの発光が完了する前にＣＭＯＳセンサのフォトダイオードの電荷蓄積が開始されるので、トリガパルスＰによる電荷が、時間ｔ５の間にＣＭＯＳセンサの一部のフォトダイオードに蓄積される（以下、「映りこむ」とも記す）。
【００２２】
以上、説明したように、カメラ本体１０１によって測光される光量には、反射光Ｒの光量の他、トリガパルスＰの光量が含まれている。カメラ本体１０１によって測光される光量を、以下、本実施形態では、「評価値」と記す。評価値において、反射光Ｒは本発光の光量を決定するための信号成分（Ｓ）であり、トリガパルスＰはノイズ成分（Ｎ）となる。
【００２３】
評価値にトリガパルスＰによるノイズが含まれると、カメラ本体１０１は、反射光Ｒの光量を実際よりも大きい値として検出し、本発光の照明光量が適正な値よりも小さく設定されてしまう。したがって、図３（ｃ）に示したタイミングでＣＭＯＳセンサが電荷の蓄積を開始すると、撮影された写真がアンダー露光になる傾向がある。アンダー露光になる傾向は、ノイズが大きいほど顕著になる。
さらに、トリガパルスＰの光量は、マスタ照明装置１０２の個体差等によってばらつきがあることが知られている。このため、トリガパルスＰによって蓄積される電荷の量を予め計算し、カメラによって検出された光量を補正する等の処理は困難である。
【００２４】
本発明の実施形態では、いずれも、カメラ本体１０１の撮影に関して設定された条件（以下、「撮像設定条件」と記す）に基づいて、モニタ発光の小発光、大発光のいずれかが選択される。そして、選択された小発光または大発光を基準にして、本発光の照明光量が決定される。
【００２５】
次に、本発明の実施形態１ないし実施形態４について説明する。
［全体構成］
図４は、本発明の実施形態１ないし４の発光制御装置が適用されるカメラ１の外観を説明するための斜視図である。なお、本明細書では、以下、実施形態１ないし実施形態４を総称して、「本実施形態」と記す。
図１に示したように、カメラ１は、カメラ本体１０１と、マスタ照明装置１０２と、を備えている。カメラ本体１０１には、レリーズ（シャッター）ボタン１０３と、撮像光学系３と、が設けられている。本実施形態では、カメラ本体１０１を、レンズ鏡筒が一体となっている、いわゆるコンパクトカメラとする。マスタ照明装置１０２は、図示しないホットシューによってカメラ本体１０１に取り付けられる、外付けの照明装置である。
【００２６】
図４に示したマスタ照明装置１０２は、発光部１０２ａが支持部１０２ｂに対して少なくとも上下に回動可能に構成されている。本実施形態では、発光部１０２ａが水平方向に対して角度を持つように固定でき、この角度が多段階（例えば、０度、６０度、７５度、９０度）に設定（クリップ）できるように構成されている。以降、発光部１０２ａの角度が０度でない状態を「バウンス状態」と記す。
本実施形態は、このようなカメラ１を多灯撮影に使用し、そのモニタ発光時の光量をノイズによらず正確に検出することを目的とするものである。
【００２７】
［カメラ本体の構成］
次に、本実施形態に適用されるカメラ１の構成を説明する。
図５は、本実施形態の発光制御装置を含むカメラ本体１０１を説明するためのブロック図である。カメラ本体１０１は、カメラ本体１０１に対して着脱可能なマスタ照明装置１０２を備えたデジタルカメラである。リモート照明装置４０は、カメラ本体１０１とマスタ照明装置１０２を介して通信可能に構成されている。
【００２８】
カメラ本体１０１は、被写体光を結像させる撮像光学系３と、被写体結像をアナログ信号に変換する撮像センサ５と、撮像センサ５の画素選択スイッチのオン、オフを制御する撮像センサ制御部１１と、を備えている。
撮像光学系３は、フォーカスレンズやズームレンズを含む複数のレンズ群と開口絞り等で構成されており、被写体光を撮像センサ５の受光面に結像させる。図５では、撮像光学系３を１枚のレンズで示すものとする。図５中に、撮像光学系３の光軸に符号Ａを付して示す。
撮像センサ５は、撮像光学系３の像空間側に配置され、撮像光学系３によってその受光面に形成された被写体像を光電変換してアナログ画像信号を生成する。本実施形態の撮像センサ５は、ＣＭＯＳイメージセンサである。
【００２９】
また、カメラ本体１０１は、上記した撮像光学系３を駆動する光学系駆動部２３、光学系駆動部２３を制御する光学系制御部１９を備えている。
光学系制御部１９は、撮像光学系３のオートフォーカス（ＡＦ）や絞りを制御するため、光学系駆動部２３を介して撮像光学系３を駆動している。
【００３０】
また、カメラ本体１０１は、撮像センサ５から読み出された電荷（アナログ画像信号）を処理して画像を生成する画像処理部１２と、生成された画像の画像データが蓄積されるメモリ７、メモリカード８と、画像データをメモリ７またはメモリカード８に蓄積させるためのメモリ制御部１３と、を備えている。
メモリ７は、画像処理用のワーキングメモリ部（図中、Ｗ・Ｍと記す）７ａと、カメラ本体１０１の仕様に関する情報等が記録される仕様条件記憶部（図中ＲＯＭと記す）７ｂと、備えている。本実施形態では、仕様条件記憶部７ｂに、マスタ照明装置１０２の最大発光量が記憶されているものとする。
画像処理部１２は、撮像センサ５から出力されたアナログ画像信号を増幅し、ホワイトバランス調整、ガンマ補正、輪郭強調、レベル調整等の各種画像処理を行う。メモリ７はカメラ本体１０１に内蔵される内蔵メモリである。メモリカード８は、カメラのユーザによって任意に装着される外付けのメモリである。
【００３１】
また、カメラ本体１０１は、マスタ照明装置１０２を制御するための照明制御部１４を備えている。照明制御部１４は、モニタ発光時、マスタ照明装置１０２に対し、リモート照明装置４０に小発光または大発光をさせるように指示する。マスタ照明装置１０２は、指示にしたがってリモート照明装置４０にトリガパルスＰを送信する。
【００３２】
また、本実施形態のカメラ本体１０１は、ＴＴＬ（Through The Lens）調光演算部１５を備えている。ＴＴＬ調光演算部１５は、撮像センサ５に測光された評価値に基づいて、マスタ照明装置１０２、リモート照明装置４０の本発光の光量を調整する。このようなＴＴＬ調光演算部１５によれば、撮像センサ５に実際に測光される光量そのものに基づいて調光を行うことができる。
【００３３】
また、本実施形態のカメラ本体１０１は、発光部１０２ａのバウンス状態を検出するバウンス検出回路１６を備えている。バウンス検出回路１６は、例えば、複数のバウンススイッチを備えていて、複数のバウンススイッチは、発光部１０２ａのクリップの段階に応じた「０」、「１」の組み合わせのデータ（以下、「バウンス角データ」とも記す）を出力する。バウンス角データは、システムコントローラ１０に送られ、システムコントローラ１０における多灯撮影の制御に用いられる。
なお、このようなバウンス検出回路１６は公知の構成であるため、これ以上の説明を省くものとする。
【００３４】
さらに、カメラ本体１０１は、以上の構成を統括的に制御するシステムコントローラ１０を備えている。システムコントローラ１０は、ＣＰＵ（central processing unit）及び演算処理を実行する際に必要なデータや画像信号等を一時的に記憶する揮発性メモリ等を備えた、いわゆるマイコンと呼ばれる小型のコンピュータである。
システムコントローラ１０は、焦点検出（ＡＦ）や露光決定（ＡＥ）等の各種演算を行う。また、システムコントローラ１０は、撮影時、操作部６の図１に示したレリーズボタン１０３の操作によって撮影が開始されると、光学系制御部１９及び撮像センサ制御部１１を制御して、絞りや感度、シャッタースピード等を設定する。そして、撮像センサ５からのアナログ画像信号の読み出し（撮影）が開始されるように制御する。
【００３５】
［マスタ照明装置の構成］
マスタ照明装置１０２は、照明光を発光する図１に示した発光部１０２ａと、発光部１０２ａの光量を設定する発光強度設定部３２と、リモート照明装置４０にトリガパルスＰを送信する信号送信部３３と、ユーザによって操作される操作部３４と、を備えている。
【００３６】
発光部１０２ａは、キセノンランプを備えた光源であり、発光強度設定部３２によって光量が多段階に設定可能に構成されている。信号送信部３３は、カメラ本体１０１の照明制御部１４の指示に応じてトリガパルスＰをリモート照明装置４０に送信する。モニタ発光時のトリガパルスＰは、リモート照明装置４０に対して大発光、小発光のいずれかを実行するように指示する信号である。操作部３４には、撮影時にマスタ照明装置１０２が本発光をするか否かがユーザによって設定される。
【００３７】
［リモート照明装置の構成］
リモート照明装置４０は、トリガパルスＰを受信する信号受信部４３、受信されたトリガパルスＰに基づいて照明光の発光強度を設定する発光強度設定部４２、発光強度設定部４２によって設定された発光強度の照明光を発光する発光部４１を備えている。
本実施形態では、発光部４１を、発光部１０２ａと同様にキセノンランプとする。モニタ発光にあたり、発光強度設定部４２は、送信されてきたトリガパルスＰにしたがって、発光部４１が小発光または大発光するように設定する。
【００３８】
上記構成において、カメラ本体１０１は、小発光と、小発光よりも光量が大きい大発光と、を行うリモート照明装置４０と、トリガパルスＰを発光し、リモート照明装置４０と通信するマスタ照明装置１０２と、によって多灯撮影を行う。
本実施形態の発光制御装置は、カメラ本体１０１によるカメラの撮影に関して設定された撮像設定条件に基づいて、システムコントローラ１０が、小発光の反射光を含む評価値（以下、「小発光の評価値」と記す）、大発光の反射光を含む評価値（以下、「大発光の評価値」と記す）のいずれかを選択するシステムコントローラ１０、選択された小発光の評価値または大発光の評価値を基準にして、カメラ本体１０１が撮影を行う際にリモート照明装置４０によって発光される照明光の光量を調整するＴＴＬ調光演算部１５と、によって構成される。
【００３９】
・実施形態１
［発明の特徴部の構成］
次に、実施形態１特有の構成について説明する。
【００４０】
実施形態１では、撮像設定条件として、マスタ照明装置１０２の最大発光量が用いられる。システムコントローラ１０は、マスタ照明装置１０２の最大発光量を予め設定されている所定の閾値ｔｈ１と比較する。そして、最大発光量が閾値ｔｈ１よりも大きい場合、大発光の反射光を含む評価値が選択される可能性を高めている。
【００４１】
すなわち、公知のマスタ照明装置１０２では、最大発光量に応じてトリガパルスＰの光量も変化し、トリガパルスＰの光量は、最大発光量に概ね比例する。このため、最大発光量が大きいマスタ照明装置１０２は、トリガパルスＰの光量も大きく、評価値中のトリガパルスＰによるノイズ成分が大きくなることが推測される。
このことから、実施形態１では、システムコントローラ１０がマスタ照明装置１０２の最大発光量を仕様条件記憶部７ｂから読み出す。そして、読み出された最大発光量を閾値ｔｈ１と比較する。なお、閾値ｔｈ１は、最大発光量とともに、仕様条件記憶部７ｂに保存されるものであってもよい。
【００４２】
大発光の評価値が選択される可能性を高めるための具体的な方法としては、例えば、最大発光量が閾値ｔｈ１より大きい場合、小発光の評価値によらず、大発光の評価値を選択することが考えられる。
このようにすれば、トリガパルスＰが比較的大きい場合、信号成分の反射光量をも大きくすることができる。このため、実施形態１によれば、常にＳ／Ｎ比が高い評価値に基づいて照明光の光量を調整することができる。
【００４３】
システムコントローラ１０は、撮像センサ５から撮像センサ制御部１１を介して大発光の評価値を取得する。取得された評価値は、ＴＴＬ調光演算部１５に送られる。ＴＴＬ調光演算部１５は、大発光の評価値を基準にして、撮影時にリモート照明装置４０によって行われる本発光の光量を調整する。
【００４４】
一方、実施形態１では、最大発光量が閾値ｔｈ１以下である場合、システムコントローラ１０が小発光の評価値を閾値ｔｈ２と比較するものとする。小発光の評価値が閾値ｔｈ２より大きい場合、小発光によるモニタ光Ｍが被写体に十分届いていると推定されるから、システムコントローラ１０は、小発光の評価値を選択する。小発光の評価値は、撮像センサ５から出力された後、ＴＴＬ調光演算部１５に送られて照明光の調整の基準となる。
また、小発光の評価値が閾値ｔｈ２以下である場合、小発光によるモニタ光Ｍが被写体に届いていないと推定されるから、システムコントローラ１０は、大発光の評価値を選択する。
【００４５】
［動作の説明］
図６は、実施形態１の発光制御装置を動作させるための、発光制御プログラムを説明するためのフローチャートである。図６に示したフローチャートの各処理は、図５に示したシステムコントローラ１０によって実行される。
システムコントローラ１０は、例えば、図１に示したレリーズボタン１０３が押されたことによってカメラ本体１０１のモニタ発光の操作が開始されたと判断する（ステップＳ１１：ＹＥＳ）。なお、レリーズボタン１０３が押されていないと判断されている間、システムコントローラ１０は、操作が開始されるまで待機する（ステップＳ１１：ＮＯ）。
【００４６】
カメラ本体１０１の操作が開始されたと判断されると、照明制御部１４は、小発光を指示するトリガパルスＰをリモート照明装置４０に送信する（ステップＳ１２）。システムコントローラ１０は、仕様条件記憶部７ｂから最大発光量を読み出して閾値ｔｈ１と比較する（ステップＳ１３）。そして、最大発光量が閾値ｔｈ１よりも大きい場合（ステップＳ１３：ＮＯ）、照明制御部１４は、小発光の評価値に関わらず、リモート照明装置４０に対して大発光を指示するトリガパルスＰを送信させる（ステップＳ１５）。
トリガパルスＰの送信により、リモート照明装置４０によって大発光が行われる。このとき、撮像センサ５から大発光の評価値が出力される。評価値は、撮像センサ制御部１１、システムコントローラ１０を介してＴＴＬ調光演算部１５に送られる。
【００４７】
ＴＴＬ調光演算部１５は、評価値を取得し（ステップＳ１６）、取得された評価値に基づいてリモート照明装置４０の本発光の発光量を決定する（ステップＳ１７）。そして、決定された発光量を示すトリガパルスＰをリモート照明装置４０に送信する（ステップＳ１８）。リモート照明装置４０は、トリガパルスＰによって示された発光量にしたがって本発光を行う。カメラ本体１０１は、本発光のタイミングに合わせて被写体Ｓを撮像する（ステップＳ１９）。
【００４８】
また、ステップＳ１３において、発光部１０２ａの最大発光量が閾値ｔｈ１以下であると判断された場合（ステップＳ１３：ＹＥＳ）、システムコントローラ１０は、小発光の評価値を閾値ｔｈ２と比較する（ステップＳ１４）。評価値が閾値ｔｈ２以下であると判断された場合（ステップＳ１４：ＹＥＳ）、照明制御部１４は、マスタ照明装置１０２からリモート照明装置４０に大発光を行わせるためのトリガパルスＰを送信させる（ステップＳ１５）。
【００４９】
一方、ステップＳ１４において、評価値が閾値ｔｈ２よりも大きいと判断された場合（ステップＳ１４：ＮＯ）、システムコントローラ１０は、小発光の評価値をＴＴＬ調光演算部１５に送る。ＴＴＬ調光演算部１５は、小発光の評価値を取得し、取得された評価値を基準にして本発光の発光量を決定する（ステップＳ１７）。
【００５０】
以上、実施形態１によると、以下の効果を有する。
（１）発光部１０２ａの最大発光量から、トリガパルスＰがモニタ光の評価値にノイズとして与える影響を推定することができる。そして、トリガパルスＰによるノイズ成分が予め設定されている値よりも大きいと推定される場合、大発光の評価値が選択される可能性を高めることができる。このため、ノイズ成分が大きい場合には評価値に含まれる信号成分をも高め、モニタ発光の評価値のＳ／Ｎ比が低下する可能性を低減することができる。
（２）トリガパルスＰによるノイズ成分が予め設定されている値よりも大きいと推定される場合、小発光の評価値によらず、大発光の評価値を使って照明光を調整するようにすることができる。このため、比較的簡易に、大発光の評価値が選択される可能性を高めることができる。
・実施形態２
［発明の特徴部の構成］
次に、本発明のカメラ、多灯撮影の制御プログラムの実施形態２について説明する。実施形態２は、撮像設定条件として、マスタ照明装置１０２の撮影時の発光の有無を用いるものである。
【００５１】
すなわち、公知の多灯撮影では、本発光においてマスタ照明装置１０２が発光する場合、照明制御部１４が、マスタ照明装置１０２が発光しない場合よりもトリガパルスＰの光量を低減するように設定されている。この理由は、リモート照明装置４０にトリガパルスＰを送信することによってマスタ照明装置１０２の本発光時に必要な電力が不足することを回避するためである。
実施形態２は、このような既存の設定を利用してトリガパルスＰが評価値のノイズとして作用する程度の大きさを推定している。
【００５２】
ユーザは、操作部３４を操作して、撮影時にマスタ照明装置１０２を本発光させるか否か設定する。ユーザによって設定された、マスタ照明装置１０２の本発光の有無が照明制御部１４を介してシステムコントローラ１０に送られる。
マスタ照明装置１０２が撮影時に本発光されない場合、トリガパルスＰの光量が低減されることがない。このため、マスタ照明装置１０２が本発光されない場合、システムコントローラ１０は、小発光の評価値によらず、大発光の評価値を選択する。選択された大発光の評価値は、ＴＴＬ調光演算部１５に送られて、本発光の照明光の光量の調整の基準となる。
【００５３】
［動作の説明］
図７は、実施形態２の発光制御装置を動作させるための、発光制御プログラムを説明するためのフローチャートである。図７に示したフローチャートの各処理は、図５に示したシステムコントローラ１０によって実行される。
図７中に示した処理のうち、図６に示した処理と同様の処理については同様の符号を付し、その説明を略すものとする。
【００５４】
小発光の指示を行った後、システムコントローラ１０は、マスタ照明装置１０２が本発光するのか否かを判断する（ステップＳ７３）。そして、マスタ照明装置１０２が本発光しないと判断された場合（ステップＳ７３：ＮＯ）、小発光の評価値によらず、マスタ照明装置１０２からリモート照明装置４０に大発光を指示するトリガパルスＰを送信させる（ステップＳ１５）。
【００５５】
一方、ステップＳ７３において、マスタ照明装置１０２が本発光すると判断された場合（ステップＳ７３：ＹＥＳ）、トリガパルスＰの光量が低減されることから、トリガパルスＰの評価値に対する影響が小さくなることが推定される。このため、システムコントローラ１０は、小発光の評価値を閾値ｔｈ２と比較し（ステップＳ１４）、比較の結果から大発光を指示するか否か判断する。
このような構成によれば、トリガパルスＰの光量が比較的大きいと予測される場合、リモート照明装置４０と被写体Ｓとの距離によらず、評価値に含まれる信号成分を大きくすることができる。このため、実施形態２は、常に高いＳ／Ｎ比を有する評価値を使って照明光を調整することができる。
【００５６】
以上、実施形態２によると、以下の効果を有する。
（１）マスタ照明装置１０２が本発光するか否かによって、トリガパルスＰがモニタ光の評価値にノイズとして与える影響を推定することができる。そして、トリガパルスＰによるノイズ成分が比較的大きいと推定される場合、大発光の評価値が選択される可能性を高めることができる。このため、ノイズ成分が大きい場合には評価値に含まれる信号成分をも高め、モニタ発光の評価値のＳ／Ｎ比が低下する可能性を低減することができる。
（２）ノイズ成分が比較的大きいと推定される場合、小発光の評価値によらず、大発光の評価値を使って照明光を調整するようにすることができる。このため、比較的簡易に、大発光の評価値が選択される可能性を高めることができる。
・実施形態３
［発明の特徴部の構成］
次に、本発明の発光制御装置、発光制御プログラムの実施形態３について説明する。
【００５７】
図４に示したマスタ照明装置１０２は、発光部１０２ａから発光される光の光軸が０度、６０度、７５度、９０度のいずれかになるようにクリップされる。図５に示したバウンス検出回路１６は、前記したように、クリップの角度に応じたバウンス角データをシステムコントローラ１０に出力する。システムコントローラ１０は、バウンス角データからマスタ照明装置１０２のバウンス状態を検出する。
実施形態３は、撮像設定条件として、マスタ照明装置１０２のバウンス状態を用いるものである。
【００５８】
ここで、「０度」は、マスタ照明装置１０２がまったくバウンスされていない状態を指し、発光部１０２ａから発光される光の光軸は水平軸である。６０度、７５度、９０度は、いずれも水平軸と発光部１０２ａから発光される光の光軸とがなす仰角の角度を示している。つまり、発光部１０２ａは、９０度で表されるバウンス状態において垂直方向を向くようになる。
図８（ａ）、（ｂ）に、マスタ照明装置１０２のバウンス状態を例示する。図８（ａ）はバウンスがされていない状態を示し、図８（ｂ）は、７５度にクリップされた状態のマスタ照明装置１０２を示す。
【００５９】
マスタ照明装置１０２がバウンスされると、照明光は、壁や天井等に向けて照射され、反射された後に被写体Ｓに照射される。このようにすれば、被写体Ｓ全体に上方から照明光を照射し、陰影の少ない画像を撮像することができる。
バウンス状態が０度である（バウンスがされていない）とき、モニタ光Ｍは被写体Ｓに直接照射される。このとき、トリガパルスＰも被写体に向いて照射され、トリガパルスＰの反射光が評価値のノイズとなる。しかし、マスタ照明装置１０２をバウンスさせると、トリガパルスＰが対象物に直接照射されなくなり、評価値においてトリガパルスＰによるノイズが問題にならなくなる。
【００６０】
以上のことから、実施形態３では、システムコントローラ１０が、バウンス検出回路１６からバウンス角データを受け取り、マスタ照明装置１０２のバウンス状態を検出する。そして、マスタ照明装置１０２がバウンスされていない場合、システムコントローラ１０は、小発光の評価値によらず、大発光の評価値を選択する。選択された大発光の評価値は、ＴＴＬ調光演算部１５に送られて、本発光の照明光の光量の調整の基準となる。
【００６１】
［動作の説明］
図９は、実施形態３の発光制御装置を動作させるための、発光制御プログラムを説明するためのフローチャートである。図９に示したフローチャートの各処理は、図５に示したシステムコントローラ１０によって実行される。
図９中に示した処理のうち、図６、７に示した処理と同様の処理については同様の符号を付し、その説明を略すものとする。
【００６２】
小発光の指示を行った後、システムコントローラ１０は、マスタ照明装置１０２がバウンスされているか否かを判断する（ステップＳ８３）。そして、マスタ照明装置１０２がバウンスされていないと判断された場合（ステップＳ８３：ＮＯ）、小発光の評価値によらず、マスタ照明装置１０２を介してリモート照明装置４０に大発光を指示するトリガパルスＰを送信させる（ステップＳ１５）。
【００６３】
一方、ステップＳ８３において、マスタ照明装置１０２がバウンスされていると判断された場合（ステップＳ８３：ＹＥＳ）、トリガパルスＰによるノイズが小さくなることが推定される。このため、システムコントローラ１０は、小発光の評価値を閾値ｔｈ２と比較し（ステップＳ１４）、比較の結果から大発光を指示するか否か判断する。
このような構成によれば、トリガパルスＰによるノイズが小さくならないと予測される場合、リモート照明装置４０と被写体Ｓとの距離によらず、評価値に含まれる信号成分を大きくすることができる。このため、実施形態３は、常に高いＳ／Ｎ比を有する評価値を使って照明光を調整することができる。
【００６４】
以上、実施形態３によると、以下の効果を有する。
（１）マスタ照明装置１０２のバウンス状態によって、トリガパルスＰがモニタ光の評価値にノイズとして与える影響を推定することができる。そして、トリガパルスＰによるノイズ成分が比較的大きいと推定される場合、大発光の評価値が選択される可能性を高めることができる。このため、ノイズ成分が大きい場合には評価値に含まれる信号成分をも高め、モニタ発光の評価値のＳ／Ｎ比が低下する可能性を低減することができる。
（２）ノイズ成分が比較的大きいと推定される場合、小発光の評価値によらず、大発光の評価値を使って照明光を調整するようにすることができる。このため、比較的簡易に、大発光の評価値が選択される可能性を高めることができる。
【００６５】
なお、以上説明した実施形態３では、マスタ照明装置１０２がバウンスしている場合、そのバウンス状態によらず大発光の評価値を選択するようにした。しかし、実施形態３は、このような構成に限定されるものでなく、バウンス状態に応じて大発光の評価値が選択される可能性を変更するようにしてもよい。
【００６６】
上記動作は、例えば、マスタ照明装置１０２がバウンスされている場合、クリップされた角度が小さいほど閾値ｔｈ２を大きく設定することによって実現される。実施形態３では、システムコントローラ１０が小発光の評価値を閾値ｔｈ２と比較し、評価値が閾値ｔｈ２よりも大きい場合にだけ小発光の評価値が選択される。このため、閾値ｔｈ２を大きくすることにより、小発光の評価値が選択される可能性が低くなり、換言すれば、大発光の評価値が選択される可能性が高まることになる。
・実施形態４
［発明の特徴部の構成］
次に、本発明のカメラ、多灯撮影の制御プログラムの実施形態４について説明する。実施形態４は、撮像設定条件として、カメラ本体１０１に撮影される被写体Ｓまでの距離を用いるものである。
【００６７】
図５に示したカメラ本体１０１は、ＡＦ（Auto Focus）機能を備えている。ＡＦ機能によれば、図１に示したレリーズボタン１０３が半押しされたとき、撮像センサ５によって撮像された画像の電気信号のコントラストが最も高くなるように、システムコントローラ１０が光学系制御部１９を制御する。光学系制御部１９は、システムコントローラ１０の制御にしたがって光学系駆動部２３を制御する。光学系駆動部２３は、光学系制御部１９の制御によって撮像光学系３を駆動させる。
【００６８】
実施形態４では、カメラ本体１０１がＡＦ機能を備えている。そして、ＡＦ機能によれば、システムコントローラ１０及び光学系制御部１９が撮像光学系３の焦点距離を判定すると共に、カメラ本体１０１の基準となる箇所から被写体Ｓまでの距離を測定することができる。
【００６９】
撮像光学系３と被写体Ｓとの距離が相対的に長ければ、評価値に含まれるトリガパルスＰの反射光が小さくなり、ノイズ成分が小さくなることが予測される。一方、撮像光学系３と被写体Ｓとの距離が相対的に短ければ、評価値に含まれるトリガパルスＰの反射光が大きくなり、ノイズ成分が大きくなることが予測される。
【００７０】
以上のことから、実施形態４では、システムコントローラ１０が、撮像光学系３と被写体Ｓとの距離を予め設定されている距離の閾値ｔｈ３と比較する。システムコントローラ１０は、撮像光学系３と被写体Ｓとの距離が閾値ｔｈ３以下であれば、トリガパルスＰによるノイズ成分が大きくなると推定する。そして、小発光の評価値によらず、大発光の評価値を選択する。選択された大発光の評価値は、ＴＴＬ調光演算部１５に送られて、本発光の照明光の光量の調整の基準となる。
【００７１】
［動作の説明］
図１０は、実施形態４の発光制御装置を動作させるための発光制御プログラムを説明するためのフローチャートである。図９に示したフローチャートの各処理は、図５に示したシステムコントローラ１０によって実行される。
図９中に示した処理のうち、図６〜図８に示した処理と同様の処理については同様の符号を付し、その説明を略すものとする。
【００７２】
小発光の指示を行った後、システムコントローラ１０は、撮像光学系３と被写体Ｓとの距離を閾値ｔｈ３と比較する（ステップＳ９３）。距離が閾値ｔｈ３以下であると判断された場合（ステップＳ９３：ＮＯ）、小発光の評価値によらず、マスタ照明装置１０２を介してリモート照明装置４０に大発光を指示するトリガパルスＰを送信させる（ステップＳ１５）。
【００７３】
一方、ステップＳ９３において、距離が閾値ｔｈ３よりも長いと判断された場合（ステップＳ９３：ＹＥＳ）、トリガパルスＰの評価値に対する影響が小さくなることが推定される。このため、システムコントローラ１０は、小発光の評価値を閾値ｔｈ２と比較し（ステップＳ１４）、比較の結果から大発光を指示するか否か判断する。
このような構成によれば、トリガパルスＰによるノイズ大きいことが予測される場合、リモート照明装置４０と被写体Ｓとの距離によらず、評価値に含まれる信号成分を大きくすることができる。このため、実施形態４は、常に高いＳ／Ｎ比を有する評価値を使って照明光を調整することができる。
【００７４】
以上、実施形態４によると、以下の効果を有する。
（１）被写体Ｓまでの距離によって、トリガパルスＰがモニタ光の評価値にノイズとして与える影響を推定することができる。そして、トリガパルスＰによるノイズ成分が比較的大きいと推定される場合、大発光の評価値が選択される可能性を高めることができる。このため、ノイズ成分が大きい場合には評価値に含まれる信号成分をも高め、モニタ発光の評価値のＳ／Ｎ比が低下する可能性を低減することができる。
（２）ノイズ成分が比較的大きいと推定される場合、小発光の評価値によらず、大発光の評価値を使って照明光を調整するようにすることができる。このため、比較的簡易に、大発光の評価値が選択される可能性を高めることができる。
【００７５】
［変形形態］
以上、説明した実施形態１ないし４に限定されることなく、以下に示すような種々の変形や変更が可能であり、それらも本発明の範囲内である。
（１）先に説明した実施形態１ないし４は、いずれも、マスタ照明装置１０２の最大発光量、撮影時の本発光の有無、バウンス状態、撮影される被写体までの距離の少なくとも１つが予め設定されている条件を満たした場合、小発光の評価値とは無関係に大発光の評価値を使って本発光の照明光の光量を決定している。しかし、これに限らず、システムコントローラ１０は、マスタ照明装置１０２の最大発光量、撮影時の本発光の有無、バウンス状態、撮影される被写体までの距離の少なくとも１つが予め設定されている条件を満たした場合、小発光の評価値と比較される閾値ｔｈ２を、閾値ｔｈ２よりも大きい閾値ｔｈ４に変更するようにしてもよい。
【００７６】
つまり、変形形態によれば、撮像設定条件が所定の条件を満たさなかった場合、小発光の評価値が閾値ｔｈ２以下であれば大発光の評価値が選択される。また、小発光の評価値が閾値ｔｈ２よりも大きい場合には、小発光の評価値が選択される。そして、撮像設定条件が所定の条件を満たした場合、トリガパルスＰの評価値に与える影響が大きいと推定されるから、閾値ｔｈ２を、より大きい閾値ｔｈ４に変更する。そして、小発光の評価値を閾値ｔｈ４と比較する。
【００７７】
比較の結果、小発光の評価値が閾値ｔｈ４以下である場合には、大発光の評価値が選択される。また、小発光の評価値が閾値ｔｈ４よりも大きい場合には、小発光の評価値が選択されるようにする。
以上の構成によれば、撮像設定条件が所定の条件を満たした場合、満たさなかった場合よりも、照明光の光量の決定に大発光が選択されやすくなる。
【００７８】
図１１は、以上説明した変形形態で行われる、発光制御プログラムを説明するためのフローチャートである。ただし、図１１に示したフローチャートのうち、図６に示したフローチャートで説明した機能と同様のものについては同様の符号を付し、その説明を省くものとする。なお、図１１に示したフローチャートは、マスタ照明装置１０２の最大発光量を撮像設定条件とした場合の例について説明するものである。
【００７９】
変形形態では、システムコントローラ１０が仕様条件記憶部７ｂから最大発光量を読み出して閾値ｔｈ１と比較する（ステップＳ１３）。そして、最大発光量が閾値ｔｈ１よりも大きい場合（ステップＳ１３：ＮＯ）、照明制御部１４は、小発光の評価値を、閾値ｔｈ２よりも大きい閾値ｔｈ４と比較する（ステップＳ１０４）。そして、評価値が閾値ｔｈ４以下であった場合には（ステップＳ１０４：ＹＥＳ）、リモート照明装置４０に対して大発光を指示するためのトリガパルスＰを送信する（ステップＳ１５）。
トリガパルスＰの送信により、リモート照明装置４０によって大発光が行われる。このとき、撮像センサ５から大発光の評価値が出力される。評価値は、撮像センサ制御部１１、システムコントローラ１０を介してＴＴＬ調光演算部１５に送られる。
【００８０】
また、ステップＳ１０４において、小発光の評価値が閾値ｔｈ４よりも大きかった場合（ステップＳ１０４：ＮＯ）、小発光の評価値がＴＴＬ調光演算部１５に送られる。ＴＴＬ調光演算部１５は、小発光の評価値に基づいて本発光時の照明光の発光量を決定する（ステップＳ１７）。
【００８１】
ＴＴＬ調光演算部１５は、評価値を取得し（ステップＳ１６）、取得された評価値に基づいてリモート照明装置４０の本発光の発光量を決定する（ステップＳ１７）。そして、決定した発光量を示すトリガパルスＰをリモート照明装置４０に送信する（ステップＳ１８）。リモート照明装置４０は、トリガパルスＰによって示された発光量にしたがって本発光を行う。カメラ本体１０１は、本発光のタイミングに合わせて被写体Ｓを撮像する（ステップＳ１９）。
【００８２】
また、ステップＳ１３において、発光部１０２ａの最大発光量が閾値ｔｈ１以下であると判断された場合（ステップＳ１３：ＹＥＳ）、システムコントローラ１０は、小発光の評価値を閾値ｔｈ２と比較する（ステップＳ１４）。評価値が閾値ｔｈ２以下であると判断された場合（ステップＳ１４：ＹＥＳ）、照明制御部１４は、マスタ照明装置１０２からリモート照明装置４０に大発光を行わせるためのトリガパルスＰを送信させる（ステップＳ１５）。
【００８３】
一方、ステップＳ１４において、評価値が閾値ｔｈ２よりも大きいと判断された場合（ステップＳ１４：ＮＯ）、システムコントローラ１０は、小発光の評価値をＴＴＬ調光演算部１５に送る。ＴＴＬ調光演算部１５は、小発光の評価値を取得し（ステップＳ１６）、取得された評価値を基準にして本発光の発光量を決定する（ステップＳ１７）。
【００８４】
このようにすれば、トリガパルスＰの映り込みが大きいことが予測される場合であっても、小発光の評価値が十分大きければ、小発光の評価値を使って照明光の光量が決定される。ここで、閾値ｔｈ４を適正に設定することにより、照明光決定の基準となる評価値のＳ／Ｎ比の低下を抑えながら、リモート照明装置４０の近距離にある被写体Ｓに適したモニタ発光を行うことができる。
【００８５】
（２）また、先に説明した実施形態１ないし４は、いずれも、撮像設定条件に基づいて小発光と大発光のいずれかを選択するものであった。しかし、これに限らず、システムコントローラ１０は、撮影設定条件に基づいて評価値を補正し、ＴＴＬ調光演算部１５が補正された評価値に基づいて照明光の発光量を調整するものであってもよい。
このような変形形態では、システムコントローラ１０が小発光または大発光の評価値を、撮像設定条件に基づいて補正する。ＴＴＬ調光演算部１５は、補正された評価値を基準にして照明光の光量を調整する。
【００８６】
例えば、撮影設定条件としてマスタ照明装置１０２の最大発光量が用いられる場合、最大発光量が閾値ｔｈ１よりも大きいときにはトリガパルスＰによるノイズが大きいことが予測される。このため、システムコントローラ１０は、取得された評価値が小さくなるように補正する。補正された評価値はＴＴＬ調光演算部１５に送られて、照明光の発光量の調整に使用される。
一方、最大発光量が閾値ｔｈ１以下であるとき、トリガパルスによるノイズが問題にならないことが予測される。このため、システムコントローラ１０は、取得された評価値を補正することなくＴＴＬ調光演算部１５に送る。ＴＴＬ調光演算部１５は、送られた評価値を基準にして照明光の発光量を調整する。
【００８７】
このようにすれば、評価値を任意の補正量で補正できるから、評価値からトリガパルスＰのノイズを高い精度で除くことができる。
【００８８】
また、例えば、撮影設定条件としてマスタ照明装置１０２の本発光の有無が用いられる場合、本発光が行われないときにはトリガパルスＰによるノイズが大きいことが予測される。このため、システムコントローラ１０は、取得された評価値が小さくなるように補正する。補正された評価値はＴＴＬ調光演算部１５に送られて、照明光の発光量の調整に使用される。
一方、マスタ照明装置１０２が本発光を行うとき、トリガパルスＰによるノイズが小さいことが予測される。このため、システムコントローラ１０は、取得された評価値を補正することなくＴＴＬ調光演算部１５に送る。ＴＴＬ調光演算部１５は、送られた評価値を基準にして照明光の発光量を調整する。
【００８９】
（３）また、先に説明した本実施形態では、マスタ照明装置１０２を外付けの照明装置としている。しかし、これに限らず、マスタ照明装置１０２としてリモート照明装置４０にトリガパルスＰを送信できる照明装置であれば、カメラ本体１０１に内蔵される照明装置をマスタ照明装置１０２として使用することも可能である。
なお、実施形態及び変形形態は、適宜組み合わせて用いることもできるが、詳細な説明は省略する。また、本発明は以上説明した実施形態によって限定されることはない。
【符号の説明】
【００９０】
１：カメラ、５：撮像センサ、１０：システムコントローラ、１１：撮像センサ制御部
１４：照明制御部、１５：ＴＴＬ調光演算部、４０：リモート照明装置、
１０１：カメラ本体、１０２：マスタ照明装置
【図１】
2014232225.tif 000003
【図２】
2014232225.tif 000004
【図３】
2014232225.tif 000005
【図４】
2014232225.tif 000006
【図５】
2014232225.tif 000007
【図６】
2014232225.tif 000008
【図７】
2014232225.tif 000009
【図８】
2014232225.tif 000010
【図９】
2014232225.tif 000011
【図１０】
2014232225.tif 000012
【図１１】
2014232225.tif 000013